(57)【要約】【課題】  顧客が表示装置の画面を簡単な操作で切り替えることができるとともに、デモ表示システムのレイアウト上の自由度を高める。【解決手段】  自家発電設備２の性能をデモンストレーション表示するシステムにおいて、自家発電設備２の稼動状態をエネルギー計測装置５で計測し、ＷＥＢページデータとして大型ディスプレイ６に送信する。ディスプレイ６の近傍に押しボタンスイッチ８を設置し、信号線９を介して計測装置５のデジタル入力ポート１０に接続する。押しボタンスイッチ８はディスプレイ６の画面を切り替えるためのデジタル信号を計測装置５に出力し、計測装置５がその信号に応答して複数のＷＥＢページデータを所定の順序でディスプレイ６に送信する。【選択図】        図１
2007299320.tif 000002
【特許請求の範囲】
【請求項１】
設備機器の性能をデモンストレーション表示するためのシステムであって、設備機器の稼動状態を計測しＷＥＢページデータとして出力する計測装置と、計測装置から受信したＷＥＢページデータを画面に表示する表示装置と、表示装置の画面を切り替えるためのデジタル信号を計測装置に出力する押しボタンスイッチとを備えたことを特徴とするデモ表示システム。
【発明の詳細な説明】
【技術分野】
【０００１】
本発明は、展示場又はショールームにおいて、自家発電設備や通信機器等の各種設備機器の性能をＷＥＢブラウザを用いてデモンストレーション表示するためのシステムに関する。
【背景技術】
【０００２】
従来、設備機器の稼動状態を計測装置で計測し、パソコンを介して表示装置にグラフィカルに表示させるシステムが知られている。例えば、図２に示す自家発電設備５１の販促用表示システムは、自家発電設備５１と共にガス利用機器５２と水利用機器５３とをエネルギー計測装置５４に接続し、計測装置５４をパソコン５５を介して大型ディスプレイ５６に接続し、パソコン５５にインストールしたデモ用ソフトにより計測データを複数のページに分類して編集し、顧客がパソコン５５のキーボード５７やマウス５８を使用してディスプレイ５６の画面を切り替え、自家発電設備５１の性能を多面的に評価できるように構成されている。
【０００３】
なお、特許文献１には、デモ用ソフトを情報提供サーバから複数の利用者端末にネットワークを介して提供するシステムが記載されている。
【特許文献１】特開２００２−０２４６７０号公報
【発明の開示】
【発明が解決しようとする課題】
【０００４】
ところが、従来のデモ表示システムによると、ディスプレイ５６の画面を切り替えるためにパソコン５５のキーボード５７やマウス５８を使用する必要があるため、パソコン５５の操作に不慣れな顧客はデモ用ソフトに用意された複数のページを充分に閲覧することが困難であった。また、キーボード５７やマウス５８がパソコン５５に付設されているので、パソコン５５をディスプレイ５６の近くに設置する必要があり、パソコン５５と計測装置５４との間の配線長が長くなり、配線上の制限によって展示場又はショールームにおけるシステム全体のレイアウトに制約を受けるという問題点もあった。
【０００５】
本発明の目的は、上記課題を解決し、顧客が表示装置の画面を簡単な操作で切り替えることができるととともに、システムレイアウトの自由度を高めることができるデモ表示システムを提供することにある。
【課題を解決するための手段】
【０００６】
上記の課題を解決するために、本発明のデモ表示システムは、設備機器の性能をデモンストレーション表示するためのシステムであって、設備機器の稼動状態を計測しＷＥＢページデータとして出力する計測装置と、計測装置から受信したＷＥＢページデータを画面に表示する表示装置と、表示装置の画面を切り替えるためのデジタル信号を計測装置に出力する押しボタンスイッチとを備えたことを特徴とする。
【０００７】
ここで、設備機器としては、例えば、太陽光や燃料電池を用いた自家発電設備、ネットワークを構築する通信機器、複数の通信機器を格納するラック設備、ビルや工場の照明又は空調装置を集中管理する遠隔操作機器等を挙げることができる。計測装置としては、例えば、自家発電設備のエネルギー計測装置、通信機器の環境温度測定器、ラック設備の施錠状態計測装置、温室農場設備の温度・湿度測定器等を例示できる。表示装置としては、ＷＥＢ機能を搭載したプラズマ又は液晶の大型ディスプレイを例示できる。
【発明の効果】
【０００８】
本発明のデモ表示システムによれば、表示装置の画面を切り替えるための入力手段として押しボタンスイッチを用いたので、顧客はこのスイッチを押すだけの簡単な操作で複数のＷＥＢページを容易に閲覧することができる。また、ＷＥＢブラウザを備えた表示装置であれば、表示装置と計測装置との間にパソコンを介在させる必要がなく、双方を無線で接続することも可能になり、システム全体をコンパクトに構成できる。しかも、押しボタンスイッチの出力は「１／０」のデジタル信号であるため、スイッチと計測装置とを単純な信号線で接続できる。従って、システムレイアウトの自由度を高め、限られた展示スペースを有効に利用して、設備機器の性能を効果的に演出することができる。
【発明を実施するための最良の形態】
【０００９】
以下、本発明の実施形態を図１に基づいて説明する。この実施形態のデモ表示システム１は、自家発電設備２の販促用ツールとして構成されている。自家発電設備２はガス利用機器３および水利用機器４と共にエネルギー計測装置５に接続されている。自家発電設備２としては太陽光又は燃料電池を用いた発電装置が展示されている。ガス利用機器３としてはガスレンジやガス湯沸かし器等が展示され、水利用機器４としては台所水栓やトイレ等が展示されている。
【００１０】
エネルギー計測装置５は、自家発電設備２の発電量や運転時間、ガス利用機器３のガス消費量や二酸化炭素発生量、水利用機器４の水道水温度等の稼動状態を各種センサで計測し、計測データをＷＥＢページデータとしてディスプレイ６に送信する。ディスプレイ６は無線ＬＡＮ７を介してエネルギー計測装置５に接続され、計測装置５から受信したデータをＷＥＢブラウザを用いて大型画面にグラフィカルに表示する。
【００１１】
ディスプレイ６の近傍には顧客によって操作される押しボタンスイッチ８が設置され、信号線９を介してエネルギー計測装置５のデジタル入力ポート１０に接続されている。そして、押しボタンスイッチ８がディスプレイ６の画面を切り替えるための「１／０」のデジタル信号を計測装置５に出力し、計測装置５がそのデジタル信号に応答して複数のＷＥＢページデータを所定の順序でディスプレイ６に送信するように構成されている。
【００１２】
上記構成のデモ表示システム１によれば、次のような効果を期待できる。
（ａ）ディスプレイ６の画面を切り替えるための入力手段として押しボタンスイッチ８を用いたので、パソコンの操作に不慣れな顧客であっても、スイッチ８を押すだけの簡単な操作で複数のＷＥＢページを容易に閲覧することができる。
（ｂ）エネルギー計測装置５とディスプレイ６の両方がＷＥＢ機能を備えているので、パソコンが必須とならず、パソコンを介さずにＷＥＢページデータを計測装置５からディスプレイ６に送信できる。
（ｃ）このため、ディスプレイ６を無線ＬＡＮ７でエネルギー計測装置５に接続して、システム全体をコンパクトに構成できる。
（ｄ）押しボタンスイッチ８の出力は「１／０」のデジタル信号であるため、スイッチ８と計測装置５とを単純な信号線９で接続でき、配線上の制限を受けにくい。
（ｅ）従って、デモ表示システム１のレイアウト上の自由度を高め、限られた展示スペースを有効に利用して、自家発電設備２の性能を効果的に演出することができる。
【００１３】
なお、上記実施形態では、パソコンを使用しないシステムを例示したが、パソコンを画面切替手段としてではなく、システム管理手段として組み入れたデモ表示システムを構成することも可能である。また、エネルギー計測装置５とディスプレイ６とを無線ＬＡＮ７ではなく、ＬＡＮケーブルで有線接続するなど、本発明の趣旨を逸脱しない範囲で各部の構成を適宜に変更して実施することを可能である。
【図面の簡単な説明】
【００１４】
【図１】本発明の一実施形態を示すデモ表示システムの構成図である。
【図２】従来のデモ表示システムを示す構成図である。
【符号の説明】
【００１５】
１    デモ表示システム
２    自家発電設備
５    エネルギー計測装置
６    ディスプレイ
７    無線ＬＡＮ
８    押しボタンスイッチ
【図１】
2007299320.tif 000003
【図２】
2007299320.tif 000004